(57)【要約】【課題】真空室の内壁面に沿って防着シールドが配置されていると共に、基板を保持する基板ホルダーが真空室内で上下方向に可動に配置されている成膜装置において、基板ホルダーが真空室内で上下方向に移動したときに、排気コンダクタンス及びガス圧力の安定性を確保でき膜質を大幅に改善できる成膜装置。【解決手段】防着シールドを、真空室内壁に固定されている上部防着シールドと、可動の基板ホルダーに固定されていてその下端部の内周側に折り返し構造を備えている下部防着シールドとに分割し、上部防着シールドと下部防着シールドとを、当該分割されている部分において、互いに間隔を開けて重なり合うように配置すると共に、可動の基板ホルダーに、下部防着シールドの内周側に位置する第三の防着シールドを固定し、当該第三の防着シールドの下端側と前記下部防着シールド下端部の折り返し構造部分とを互いに間隔を開けて重なり合っている構造にすることによって課題を解決した。【選択図】　図１
2004018885.tif 000002
【特許請求の範囲】
【請求項１】
真空室内で基板上に薄膜を堆積させる成膜装置であって、真空室の内壁面に沿って防着シールドが配置されていると共に、前記基板を保持する基板ホルダーが真空室内で上下方向に可動に配置されている成膜装置において、　前記防着シールドは、真空室内壁に固定されている上部防着シールドと、前記可動の基板ホルダーに固定されていてその下端部の内周側に折り返し構造を備えている下部防着シールドとに分割されており、
前記上部防着シールドと下部防着シールドとは、当該分割されている部分において、互いに間隔を開けて重なり合うように配置されていると共に、
前記可動の基板ホルダーに、前記下部防着シールドの内周側に位置する第三の防着シールドが固定されていて、当該第三の防着シールドの下端側と前記下部防着シールド下端部の折り返し構造部分とが互いに間隔を開けて重なり合っている
ことを特徴とする成膜装置。
【請求項２】
真空室内で基板上に薄膜を堆積させる成膜装置であって、真空室の内壁面に沿って防着シールドが配置されていると共に、前記基板を保持する基板ホルダーが真空室内で上下方向に可動に配置されている成膜装置において、　前記防着シールドは、真空室内壁に固定されている上部防着シールドと、前記可動の基板ホルダーに固定されていてその下端部の内周側に折り返し構造を備えている下部防着シールドとが、当該上部防着シールドと下部防着シールドとの間に設けられている伸縮機構によって連結されている一体型とされており、
前記可動の基板ホルダーに、前記下部防着シールドの内周側に位置する第三の防着シールドが固定されていて、当該第三の防着シールドの下端側と前記下部防着シールド下端部の折り返し構造部分とが互いに間隔を開けて重なり合うように配置されていることを特徴とする成膜装置。
【請求項３】
伸縮機構はベローズであることを特徴とする請求項２記載の成膜装置。
【請求項４】
上部防着シールドと下部防着シールドとの間に設けられている伸縮機構を当該伸縮機構の内周側で覆う第四の防着シールドが、上部防着シールドの内周側に設けられていることを特徴とする請求項２または３記載の成膜装置。
【発明の詳細な説明】
【０００１】
【発明の属する技術分野】
本発明は真空室内で基板上に薄膜を堆積させる成膜装置に関するものであり、とりわけ徹細化プロセスを目的とする成膜装置の膜質、信頼性改善に関するものである。
【０００２】
【従来技術】
従来から、真空室内で基板上に薄膜を堆積させる成膜装置は薄膜形成に古くから用いられている。また最近の半導体産業の技術革新は目覚ましく、デバイスの高集積化が年々増大している。
【０００３】
こうしたデバイス側からの要求に対応するために成膜装置においてもさまざまな取り組みがなされてきている。とりわけ膜質改善のために、真空室の真空を維持したまま、基板を保持する基板ホルダーを真空室内で上下方向に移動できる横造が効果的であることが知られてきた。、例えば、スパッタリング装置において、基板ホルダーを真空室内で上下方向に可動とし、ターゲットと基板間の拒離（以下「Ｔ／Ｓ距離」と呼ぶ）を真空室の真空を維持したままで変化させ得る横造が膜質の改善に効果的であることが知られてきた。
【０００４】
スパッタリング装置においては、Ｔ／Ｓ距離を変化させることによって、基板上での薄膜の膜厚分布を改善させることが可能である。また、Ｔ／Ｓ距離を大きくすることによって基板上に形成された微細孔の中への成膜が可能となることが知られている。またターゲットが次第にスパッタしてエロージョンが進行すると膜厚分布が次第に悪化する傾向が見られていた。
【０００５】
このような現象に対してＴ／Ｓ距離を可変にすると非常に有効である。すなわち、Ｔ／Ｓ距離を大きくすることによってステップカバレージを改善することが可能であり、Ｔ／Ｓ距離を調整することによって膜厚の均一性を回復させることが可能である。
【０００６】
このようにスパッタリング装置において、基板ホルダーを真空室内で上下方向に可動とし、Ｔ／Ｓ距離を調整することの有効性は従来から認識されており、この点は、ＣＶＤ装置等の他の成膜装置においても同様であった。
【０００７】
図６を用いて基板ホルダーを真空室内で上下方向に可動とし、Ｔ／Ｓ距離を調整することが可能にされている従来のスパッタリング装置を説明する。
【０００８】
図６において、１は真空容器、２はターゲット、３はマグネット、４はガスリザーバー、５は直流電源、７は基板、８は基板ホルダー、１０はベローズ、１１はゲートバルブ、１２はポンプ、１３はギア、１４は駆動モーター、１６はシールド固定部品、４０は絶縁リングである。真空室の内壁面に沿って配置されている防着シールドとしては、真空容器１の内壁面に固定され、下端部の内周側に折り返し構造を備えている固定シールド６ａが配備されており、更に、可動の基板ホルダー８に、固定シールド６ａの内周側に位置する防着シールド６ｂが固定されていて、防着シールド６ｂの下端側と固定シールド６ａの下端部の折り返し構造部分とが互いに間隔を開けて重なり合うように配置されている。基板ホルダー８に固定されている防着シールド６ｂは、基板ホルダー８が可動であって、可動の防着シールドとしての役割を果たすので、以下、これを可動シールド６ｂと表す。
【０００９】
このスパックリング装置を動作させるには、先ず真空容器１をポンプ１２で高真空になるまで排気する。次に、ガスリザーバー４からプロセスガス（アルゴン、酸素、窒素など）を真空容器１に導入し、真空容器１内の圧力を０．１Ｐａから３Ｐａ程度に制御する。ここで、直流電源５からターゲット２に直流電力を印加すると、マグネトロン放電が発生する。イオン化されたガスイオンはターゲット２に向かって加速されて衝突し、その衝突エネルギーでターゲット２の構成材料がスパッタされるのである。ここで、真空容器１の真空を維持したまま、基板ホルダー８を真空容器１内で上下方向に移動させてＴ／Ｓ距離を最適化することにより、成膜分布の均一性を改善できる。
【００１０】
しかしながら図６に示す従来構造では、Ｔ／Ｓ距離を変化させると固定シールド６ａの下端部内周側の折り返し部と、可動シールド６ｂとの間の小さな空隙によってほぼ決まる排気のコンダクタンスが変化してしまう。
【００１１】
ここで排気のコンダクタンスは前記空隙からのガスの通過しやすさの目安を示すものであり、シールドの幾何学的な寸法や配置、ガスの種類が決まれば計算することが可能である。一般に軽いガス程またシールドの空隙が大きい程、コンダクタンスは大きくなる。
【００１２】
固定シールド６ａは真空容器の下部側で、図６図示のように、内周側に曲折している折り返し部を備えているのが通常である。これはターゲット２からのスパッタ粒子が、プロセスガスと衝突を繰り返して真空容器１の内壁まで回り込み易いために曲折させているのである。すなわち直線的なシールド形状ではスパッタ粒子が真空容器１の内壁まで回り込むために、これを阻止するような設計が必要となるのである。
【００１３】
また固定シールド６ａは円筒状の形状をしており、真空容器１が同じく円筒形状の場合は、両者の空隙は円周上で同じとなり、また真空室１が直方体の場合は、両者の空隙は均一とはならない。シールド固定部品１６は固定シールド６ａを、円周方向に離間した数カ所で固定している。
【００１４】
また固定シールド６ａと可動シールド６ｂとが互いに間隔を開けて重なり合っている部分の空隙（両者の間の間隔）はなるべく狭い方が、前述したスパッタ粒子の回り込みを防止する観点から好ましい。
【００１５】
しかしながら、一方ではシールドの排気のコンダクタンスを大きくした方が、シールド内の残留ガスの排気が効率よく行われて、膜質にとっては良い。
【００１６】
またこの空隙はあまり狭いと可動シールド６ｂが移動するときに固定シールド６ａと接触してパーティクル発生の原因となることがある為、約５ｍｍ前後の寸法にするのが現実的である。
【００１７】
【発明が解決しようとする課題】
真空室内で基板ホルダーが上下方向に可動にされている従来の成膜装置に、例えば、図６を用いて説明したＴ／Ｓ距離が可変にされている従来のスパッタリング装置などにおいては、以下のような問題があった。
【００１８】
図７は、図６図示のＴ／Ｓ距離が可変にされている従来のスパッタリング装置におけるＴ／Ｓ距離と排気コンダクタンスの関係の一例を示したグラフである。本例ではＴ／Ｓ距離を５０ｍｍから１００ｍｍに変化させると、コンダクタンスが１０００ｌ／ｓから５００ｌ／ｓへと２分の１になってしまう。
【００１９】
この理由は固定シールド６ａとターゲット２の間のコンダクタンスが固定されている（本装置では５００ｌ／ｓ）にもかかわらず、固定シールド６ａと可動シールド６ｂの間のコンダクタンスがＴ／Ｓ距離を増加させると急激に低下してしまうためである。
【００２０】
このときのプロセスガス流量とシールド内の圧力の関係を示したものが図８である。Ｔ／Ｓ距離が１００ｍｍでは、排気コンダクタンスが２分の１に低下してしまう為（即ちガスの抜けが悪いために）にＴ／Ｓ距離が５０ｍｍの場合に比較して同じガス流量に対して２倍の圧力となってしまう。
【００２１】
このように排気のコンダクタンスがＴ／Ｓ距離によって変化してしまうと、異なった膜質となってしまう。また圧力制御や流量制御性が変動して、安定な膜質が維持できなくなるという問題があった。
【００２２】
本発明は、真空室内で基板上に薄膜を堆積させる成膜装置であって、真空室の内壁面に沿って防着シールドが配置されていると共に、前記基板を保持する基板ホルダーが真空室内で上下方向に可動に配置されている成膜装置において、前記のようにＴ／Ｓ距離が変動した時、すなわち、基板ホルダーが真空室内で上下方向に移動したときに、排気コンダクタンスおよびガス圧力の安定性を確保でき、もって膜質を大幅に改善することのできる成膜装置を提案することを目的としている。
【００２３】
【課題を解決するための手段】
前記課題を解決するため、本発明が提案する成膜装置は以下の構成からなるものである。
【００２４】
本発明が提案する成膜装置は、真空室内で基板上に薄膜を堆積させる成膜装置であって、真空室の内壁面に沿って防着シールドが配置されていると共に、前記基板を保持する基板ホルダーが真空室内で上下方向に可動に配置されている成膜装置に関するものである。
【００２５】
ここで、本発明が提案する第一の成膜装置は、前記の基本的な構成の成膜装置において、以下の特徴的構成を有するものである。
【００２６】
まず、前記における防着シールドは、真空室内壁に固定されている上部防着シールドと、前記可動の基板ホルダーに固定されていてその下端部の内周側に折り返し構造を備えている下部防着シールドとに分割されているものである。
【００２７】
また、上部防着シールドと下部防着シールドとは、当該分割されている部分において、互いに間隔を開けて重なり合うように配置されていると共に、前記可動の基板ホルダーに前記下部防着シールドの内周側に位置する第三の防着シールドが固定されていて当該第三の防着シールドの下端側と前記下部防着シールド下端部の折り返し構造部分とが互いに間隔を開けて重なり合っているものである。
【００２８】
本発明の成膜装置においては、前記のような特徴的な構造を採用していることによって、可動の基板ホルダーを真空容器内で上下方向に移動させた場合に生じる排気コンダクタンスの変動は、そのほとんどが、上部防着シールドと下部防着シールドとが分割されて、互いに間隔を開けて重なり合っている部分における排気コンダクタンスの変動によるものとなる。そして、この部分における排気コンダクタンスは、互いに間隔を開けて重なり合っている上部防着シールドと下部防着シールドとの間の間隔、重なり合っている部分の上部防着シールドと下部防着シールドの長さを調整することによって、調整可能である。例えば、互いに間隔を開けて重なり合っている上部防着シールドと下部防着シールドの長さを大きくすることによって、可動の基板ホルダーを真空容器内で上下方向に移動させた場合に生じる排気コンダクタンスの変動を小さく抑えることが可能である。
【００２９】
こうして、基板ホルダーが真空室内で上下方向に移動したときの、排気コンダクタンスおよびガス圧力の安定性を確保できるようにしたものである。
【００３０】
また、本発明が提案する第二の成膜装置は、前記の基本的な構成の成膜装置において、以下の特徴的構成を有するものである。
【００３１】
まず、前記における防着シールドは、真空室内壁に固定されている上部防着シールドと、前記可動の基板ホルダーに固定されていてその下端部の内周側に折り返し構造を備えている下部防着シールドとが、当該上部防着シールドと下部防着シールドとの間に設けられている伸縮機構によって連結されている一体型とされているものである。
【００３２】
そして、可動の基板ホルダーに、前記下部防着シールドの内周側に位置する第三の防着シールドが固定されていて、当該第三の防着シールドの下端側と前記下部防着シールド下端部の折り返し構造部分とが互いに間隔を開けて重なり合うように配置されているものである。
【００３３】
かかる成膜装置によれば、前述した本発明が提案する第一の成膜装置において、可動の基板ホルダーを真空容器内で上下方向に移動させた場合に、上部防着シールドと下部防着シールドとが分割されて、互いに間隔を開けて重なり合っている部分で生じていた排気コンダクタンスの変動もなくなるので、可動の基板ホルダーを真空容器内で上下方向に移動させた場合に生じる排気コンダクタンスおよびガス圧力の安定性を確保する上で、一層効果的である。
【００３４】
なお、この本発明が提案する第二の成膜装置において、前述した伸縮機構にはベローズを用いることができる。
【００３５】
更に、上部防着シールドと下部防着シールドとの間に設けられている伸縮機構を当該伸縮機構の内周側で覆う第四の防着シールドを、上部防着シールドの内周側に設けると、前記伸縮機構への薄膜の体積を当該第四の防着シールドによって防止することができるので有効である。
【００３６】
【発明の実施の形態】
以下、本発明の成膜装置がスパッタリング装置として実現されている場合について、添付図面を参照して説明する。
【００３７】
図１は、本発明の成膜装置がスパッタリング装置として実現されている場合の第一の実施形態を表すものである。
【００３８】
図１において、１は真空容器、２はターゲット、３はマグネット、４はガスリザーバー、５は直流電源、７は基板、８は基板ホルダー、９はホルダー支持台、１０はベローズ、１１はゲートバルブ、１２はポンプ、１３はギア、１４は駆動モーター、１６はシールド固定部品、４０は絶縁リングである。これらの構成部品の基本的な動作は、図６図示の従来のスパッタリング装置の場合と同一であるので、その説明を省略する。
【００３９】
真空室の内壁面に沿って配置されている防着シールドは、真空容器１の内壁に固定されている円筒状の上部防着シールド６ａ１と、可動の基板ホルダー８に固定されていてその下端部の内周側に折り返し構造を備えている円筒状の下部防着シールド６ａ２とに分割されている。そして、上部防着シールド６ａ１と下部防着シールド６ａ２とは、分割されている部分において、互いに間隔を開けて重なり合うように配置されている。
【００４０】
また、可動の基板ホルダー８に、下部防着シールド６ａ２の内周側に位置する円筒状の第三の防着シールド６ｂが固定されていて、第三の防着シールド６ｂの下端側と下部防着シールド６ａ２の下端部の折り返し構造部分とが互いに間隔を開けて重なり合っている。
【００４１】
図１図示の実施形態において、可動の基板ホルダー８への下部防着シールド６ａ２の固定は、基板ホルダー８に固定されている第三の防着シールド６ｂに、固定金具３０を介して円周方向の数カ所で、下部防着シールド６ａ２を固定して行われている。
【００４２】
図１図示の実施形態では、ホルダー支持台９（基板ホルダー８）の上下移動に伴い、上部防着シールド６ａ１を固定しても、下部防着シールド６ａ２及び第三の防着シールド６ｂがホルダー支持台９（基板ホルダー８）と共に動くことが可能となっている。
【００４３】
なお上部防着シールド６ａ１はシールド固定部品（例えば、固定金具）１６で真空容器１の内壁に固定されている。このシールド固定部品１６は円周方向の数カ所で、上部防着シールド６ａ１と真空容器１の内壁を固定しており、コンダクタンスへの影響は少ない。
【００４４】
また上部防着シールド６ａ１と下部防着シールド６ａ２は、分割されている部分において、それぞれの一部が、互いに間隔を開けて重なり合うように配置されているので、ターゲット２からのスパッタ粒子が真空容器１の側壁に付着することは防止されている。
【００４５】
図１図示の実施形態では、下部防着シールド６ａ２及び第三の防着シールド６ｂの相互位置が固定されているために、排気のコンダクタンスをほぼ一定値に維持しながらＴ／Ｓ距離を変更することが可能である。
【００４６】
なお、上部防着シールド６ａ１と下部防着シールド６ａ２の互いに間隔を開けて重なり合っている部分の空隙（互いの間の間隔）があまり大きいとスパッタ粒子が回り込み、またこれが狭いと下部防着シールド６ａ２の移動時に、上部防着シールド６ａ１と下部防着シールド６ａ２とが接触してパーティクル発生の要因となってしまうために、この部分の空隙（互いの間の間隔）は、図１図示の実施形態では、約５ｍｍ程度に設定している。
【００４７】
図１図示の実施形態のスパッタリング装置では、前述のように、上部防着シールド６ａ１と下部防着シールド６ａ２とが分割されて、互いに間隔を開けて重なり合っている部分以外の部分における排気のコンダクタンスはほぼ一定値に維持されているので、基板ホルダー８を真空容器１内で上下方向に移動させた場合に生じる排気コンダクタンスの変動は、そのほとんどが、上部防着シールド６ａ１と下部防着シールド６ａ２とが分割されて、互いに間隔を開けて重なり合っている部分における排気コンダクタンスの変動によるものとなる。
【００４８】
そして、この部分における排気コンダクタンスは、互いに間隔を開けて重なり合っている上部防着シールド６ａ１と下部防着シールド６ａ２との間の間隔、重なり合っている部分の上部防着シールド６ａ１と下部防着シールド６ａ２の長さを調整することによって、調整可能である。
【００４９】
そこで、前記のように、スパッタ粒子の回り込みを防止し、下部防着シールド６ａ２の移動時における、上部防着シールド６ａ１と下部防着シールド６ａ２との接触、パーティクル発生の防止という観点から、上部防着シールド６ａ１と下部防着シールド６ａ２の互いに間隔を開けて重なり合っている部分の空隙（互いの間の間隔）を定めた上で、例えば、この上部防着シールド６ａ１と下部防着シールド６ａ２とが重なり合っている部分における排気コンダクタンスを、防着シールド全体の排気コンダクタンスである総合コンダクタンスが約２０％程度の増加に止まるように、前記重なり合っている部分における上部防着シールド６ａ１と下部防着シールド６ａ２、それぞれの、長さを定めるとする。
【００５０】
即ち、ターゲット２と上部防着シールド６ａ１との間のコンダクタンスが約５００ｌ／ｓ、下部防着シールド６ａ２と第三の防着シールド６ｂ間のコンダクタンスが約５００ｌ／ｓであるときに、前述の上部防着シールド６ａ１と下部防着シールド６ａ２とが重なり合っている部分における排気コンダクタンスが２００ｌ／ｓ程度になるように、前記重なり合っている部分における上部防着シールド６ａ１と下部防着シールド６ａ２それぞれの長さを定めると、防着シールド全体の排気コンダクタンスである総合のコンダクタンスは、１０００ｌ／ｓから１２００ｌ／ｓ程度の範囲となって、基板ホルダー８が真空容器１内で移動して、Ｔ／Ｓ距離が大きくなっても、２０％程度のコンダクタンス増加に抑えることができる。
【００５１】
図２は、本発明の成膜装置がスパッタリング装置として実現されている場合の第二の実施形態を表すものであり、図１の上部防着シールド６ａ１と下部防着シールド６ａ２とが分割型であったのに対して、上部防着シールド６ａ１と下部防着シールド６ａ２を伸縮機構１５を介して一体型としたものである。
【００５２】
すなわち、真空容器１の内壁に沿って配備されている防着シールドは、真空容器１の内壁に固定されている上部防着シールド６ａ１と、可動の基板ホルダー８に固定されていてその下端部の内周側に折り返し構造を備えている下部防着シールド６ａ２とが、上部防着シールド６ａ１と下部防着シールド６ａ２との間に設けられている伸縮機構１５によって連結されている一体型とされている。
【００５３】
そして、可動の基板ホルダー８に、下部防着シールド６ａ２の内周側に位置する第三の防着シールド６ｂが固定されていて、当該第三の防着シールド６ｂの下端側と下部防着シールド６ａ２の下端部の折り返し構造部分とが互いに間隔を開けて重なり合うように配置されているものである。
【００５４】
なお、伸縮機構１５の例としてベローズを用いることができる。
【００５５】
この例でも防着シールドの排気コンダクタンスをほぼ一定に維持しながらＴ／Ｓ距離を変更することが可能である。この場合には図１の実施形態の場合と異なり、図１の実施形態の場合において考慮していた、上部防着シールド６ａ１と下部防着シールド６ａ２の互いに間隔を開けて重なり合っている部分の排気コンダクタンス変化を無視出来る。
【００５６】
そこで、ターゲット２と上部防着シールド６ａ１との間のコンダクタンスが約５００ｌ／ｓ、下部防着シールド６ａ２と第三の防着シールド６ｂ間のコンダクタンスが約５００ｌ／ｓであると、防着シールド全体の排気コンダクタンスである総合のコンダクタンスは基板ホルダー８が真空容器１内で移動してＴ／Ｓ距離が大きくなった場合であっても、ターゲット２と上部防着シールド６ａ１との間のコンダクタンスと、下部防着シールド６ａ２と第三の防着シールド６ｂ間のコンダクタンスとが合計された１０００ｌ／ｓ近辺に抑えられることになる。
【００５７】
図３は本発明の前述した図１、図２図示の実施形態のスパッタリング装置において、Ｔ／Ｓ距離を変化させたときの排気のコンダクタンスを示すものである。破線で示すように、図１図示の実施形態の場合には、約１０００ｌ／ｓから１２００ｌ／ｓ程度の値に変化し、実線で示す図２図示の実施形態の場合には、約１０００ｌ／ｓと一定値になっている。
【００５８】
図４は、図２図示の実施形態のスパッタリング装置におけるガス流量と、ガス圧力の関係を示すものである。Ｔ／Ｓ距離が５０ｍｍと１００ｍｍの場合において、両者はほぼ同一の直線上にのり、Ｔ／Ｓ距離が変化してもコンダクタンスがほぼ一定であることを示している。
【００５９】
本発明の前述した図１、図２図示の実施形態のスパッタリング装置を用いて圧力制御を行ない、Ｔ／Ｓ距離を変化させても膜質を安定に制御できることを確認した。
【００６０】
図５は、図２図示の実施形態のスパッタリング装置において、上部防着シールド６ａ１と下部防着シールド６ａ２との間に設けられている伸縮機構１５を当該伸縮機構１５の内周側で覆う第四の防着シールド２０を、上部防着シールド６ａ１の内周側に設けた実施形態を説明するものである。
【００６１】
図５図示の形態にすることによって、上部防着シールド６ａ１の内周側に設けられた第四の防着シールド２０によって、例えば、ベローズによって実現されている伸縮機構１５は、ターゲット２の表面から不可視とされることになる。そこで、伸縮機構１５への薄膜の体積を当該第四の防着シールド２０によって防止し、伸縮機構１５の信頼性の高い動作を可能にすることができる。
【００６２】
以上、本発明の好ましい実施形態を添付図面を参照して説明したが、本発明はかかる実施形態に限定されるものではなく、特許請求の範囲の記載から把握される技術的範囲において種々の形態に変更可能である。
【００６３】
例えば、図１、図２では、本発明が適用されている、真空室内で基板上に薄膜を堆積させる成膜装置であって、真空室の内壁面に沿って防着シールドが配置されていると共に、前記基板を保持する基板ホルダーが真空室内で上下方向に可動に配置されている成膜装置の一例として、スパッタリング装置を用いて本発明を説明したが、本発明をＣＶＤ装置などの成膜装置に適用しても、可動の基板ホルダーを真空容器内で上下方向に移動させた場合に生じる排気コンダクタンスおよびガス圧力の安定性を確保することができる。
【００６４】
【発明の効果】
本発明の成膜装置によれば、膜質を向上させる必要のある微細化プロセスを、真空室内で可動の基板ホルダーを上下方向に移動させることによって、例えば、可動の基板ホルダーを移動させてＴ／Ｓ距離を変化させることによって、実現させ、量産時の品質の安定を図ることができる。
【図面の簡単な説明】
【図１】スパッタリング装置に適用された本発明の第一の実施形態を表す断面図。
【図２】スパッタリング装置に適用された本発明の第二の実施形態を表す断面図。
【図３】図１、図２図示のスパッタリング装置におけるＴ／Ｓ距離と排気コンダクタンスの関係を表す図。
【図４】図２図示のスパッタリング装置におけるガス流量とガス圧力の関係を表す図。
【図５】図２図示のスパッタリング装置の他の実施形態における伸縮機構の部分の拡大図。
【図６】スパッタリング装置における従来技術例の断面図。
【図７】図６図示の従来のスパッタリング装置におけるＴ／Ｓ距離と排気コンダクタンスの関係を表す図。
【図８】図６図示の従来のスパッタリング装置におけるガス流量とガス圧力の関係を表す図。
【符号の説明】
１　真空容器
２　ターゲット
３　マグネット
４　ガスリザーバー
５　直流電源
７　基板
８　基板ホルダー
９　ホルダー支持台
１０　ベローズ
１１　ゲートバルブ
１２　ポンプ
１３　ギア
１４　駆動モーター
１５　伸縮機構
１６　シールド固定部品
２０　第四の防着シールド
３０　　固定金具
４０　絶縁リング
６ａ　固定シールド
６ｂ　可動シールド
６ａ１　上部防着シールド
６ａ２　下部防着シールド
６ｂ　　第三の防着シールド
３０　　固定金具
【図１】
2004018885.tif 000003
【図２】
2004018885.tif 000004
【図３】
2004018885.tif 000005
【図４】
2004018885.tif 000006
【図５】
2004018885.tif 000007
【図６】
2004018885.tif 000008
【図７】
2004018885.tif 000009
【図８】
2004018885.tif 000010